(57)【要約】【課題】データ通信での差別化。【解決手段】ＩＴＵーＴ勧告Ｖ．９２に対応した通信が可能な通信装置おいて、モデムオンホールドを有効とするか否かを選択する手段を有し、モデムオンホールドの無効が選択されている時には相手側からのモデムホールド要求を否定して通信を続行し、モデムオンホールドの有効が選択されている時には相手側のモデムオンホールドに応答して回線ホールドモードへの移行を行う。ここで、モデムオンホールドの無効が選択されている時には、ＩＴＵ−Ｔ勧告Ｖ．９２の通信を実行せずにＩＴＵ−Ｔ勧告Ｖ．９０の通信を実行してもよい。【選択図】　　　　図１
2004135153.tif 000002
【特許請求の範囲】
【請求項１】
ＩＴＵ−Ｔ勧告Ｖ．９２に対応した通信が可能な通信装置おいて、モデムオンホールドを有効とするか否かを選択する手段を有し、モデムオンホールドの無効が選択されている時には相手側からのモデムホールド要求を否定して通信を続行し、モデムオンホールドの有効が選択されている時には相手側のモデムオンホールドに応答して回線ホールドモードへの移行を行う事を特徴とする通信装置。
【請求項２】
請求項１において、モデムオンホールドを有効とするか否かを選択する手段を有し、モデムオンホールドの無効が選択されている時には相手側からのＲＴ信号に続いたＭＨｒｅｑ信号を受信するとＭＨｎａｃｋ信号を送信し、モデムオンホールドの有効が選択されている時には相手側からのＲＴ信号に続いたＭＨｒｅｑ信号を受信するとＭＨａｃｋ信号を送信し回線ホールドモードへの移行を行う事を特徴とする通信装置。
【請求項３】
請求項１において、モデムオンホールドの無効が選択されている時には、ＩＴＵ−Ｔ勧告Ｖ．９２の通信を実行せずにＩＴＵ−Ｔ勧告Ｖ．９０の通信を実行する事を特徴とする通信装置。
【発明の詳細な説明】
【０００１】
【発明の属する技術分野】
本発明は、通信装置、特に、ＩＴＵ−Ｔ勧告Ｖ．９２の通信が可能な通信装置に関するものである。
【０００２】
【従来の技術】
従来のＩＴＵ−Ｔ勧告Ｖ．９２の通信が可能な通信装置は、Ｖ．９０に対して、モデムオンホールドの機能が新規に追加された。この機能は、相手側からのモデムホールド要求があると、このモデムホールド要求に応答して回線をホールドし、そのモードが終了後、データの送信を再開していた。
【０００３】
【発明が解決しようとする課題】
しかしながら、ＩＴＵ−Ｔ勧告Ｖ．９２では相手側からモデムホールド要求があると、常に、これに対して、肯定応答信号を送信し回線をホールドして、このモードが終了後、再び、データの送信を開始していた。この間、回線は例えば、ボイスモードとなり、通信時間が長くなり、ユーザが急いでいる場合は非常に使い勝手が悪くなり、また、通信費が余分にかかってしまうという欠点があった。ユーザがある通信を早く実行したいと考えている時に、モデムホールド要求により回線ホールド状態で通信が待たされるのは非常に迷惑であるという欠点があった。
【０００４】
【課題を解決するための手段】
第１の本発明によれば、ＩＴＵーＴ勧告Ｖ．９２に対応した通信が可能な通信装置おいて、モデムオンホールドを有効とするか否かを選択する手段を有し、モデムオンホールドの無効が選択されている時には相手側からのモデムホールド要求を否定して通信を続行し、モデムオンホールドの有効が選択されている時には相手側のモデムオンホールドに応答して回線ホールドモードへの移行を行う事が可能になった。第２の本発明によれば、第１の本発明おいて、モデムオンホールドを有効とするか否かを選択する手段を有し、モデムオンホールドの無効が選択されている時には相手側からのＲＴ信号に続いたＭＨｒｅｑ信号を受信するとＭＨｎａｃｋ信号を送信し、モデムオンホールドの有効が選択されている時には相手側からのＲＴ信号に続いたＭＨｒｅｑ信号を受信するとＭＨａｃｋ信号を送信し回線ホールドモードへの移行を行う事が可能になった。
【０００５】
これらにより、ＩＴＵ−Ｔ勧告Ｖ．９２にて通信を実行中に、相手側からモデムホールド要求があると、ユーザがある通信を早く実行したいと考えている時に、モデムホールド要求により回線ホールド状態で通信が待たされる事はなく通信を終了でき、一方、特にユーザが早く実行したいと考えていない時には、モデムホールド要求により、回線をホールドして、例えば、ボイスモードを実行しボイスモードが終了後、再び、データの送信を開始でき、確実にボイスモードの実行ができとても使い易くなった。
【０００６】
第３の本発明によれば、第１の通信装置において、モデムオンホールドの無効が選択されている時には、ＩＴＵ−Ｔ勧告Ｖ．９２の通信を実行せずにＩＴＵ−Ｔ勧告Ｖ．９０の通信を実行する事が可能になった。
【０００７】
これにより、ＩＴＵ−Ｔ勧告Ｖ．９２にて通信を実行中に、相手側からモデムホールド要求があると、ユーザがある通信を早く実行したいと考えている時に、最初からＩＴＵ−Ｔ勧告Ｖ．９０にて通信が可能になり、モデムホールド要求がかかる事が無くなり、確実に通信中断のない通信が可能になりとても使い易くなった。
【０００８】
【発明の実施の形態】
（実施例１）
以下、図面に示す実施の形態に基ずいて、本発明を詳細に説明する。
【０００９】
図１には、本発明の実施の形態であるファクシミリ装置がブロック図として図示されている。
【００１０】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線側への接続２ａを電話機側に接続（ＣＭＬオフ）したり、電話回線側への接続２ａをファクシミリ装置側に接続（ＣＭＬオン）するものである。なお、通常状態では、電話回線側への接続２ａは、電話機４側に接続されている。
【００１１】
４は、電話機である。
【００１２】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１３】
８は、変復調器であり、ＩＴＵ−Ｔ勧告Ｖ．８、Ｖ．２１、Ｖ．２７ｔｅｒ、Ｖ．２９、Ｖ．１７、Ｖ．３４、Ｖ．３２、Ｖ．３２ｂｉｓ、Ｖ．９０、Ｖ．９２に基ずいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１４】
１０は、発呼回路であり、バス２６からの信号により、電話番号情報を入力し、信号線１０ａにＤＴＭＦの選択信号を出力する。
【００１５】
１２は、加算回路であり、信号線８ａの情報と信号線１０ａの情報を入力し、加算した結果を信号線１２ａに出力する。
【００１６】
１４は、読取回路であり、読み取りデータをバス２６に出力する。
【００１７】
１６は、記録回路であり、バス２６に出力されている情報を順次１ライン毎に記録する。
【００１８】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納す
るために使用する。
【００１９】
２０は、操作部であり、ワンタッチダイヤル、短縮ダイヤル、テンキー、＊キー、＃キー、スタートキー、ストップキー、セットキー、メモリ１８への登録キー、データモデムでのモデムオンホールド要求に対する選択キー、その他のファンクションキーがあり、押下されたキー情報はバス２６に出力される。
【００２０】
操作部には、表示部があり、バス２６に出力されている情報を入力し、表示する。
【００２１】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２２】
２６は、バスである。
【００２３】
２４は、ＩＴＵーＴ勧告Ｖ．９２に対応した通信が可能な通信装置おいて、モデムオンホールドを有効とするか否かを選択する手段を有し、モデムオンホールドの無効が選択されている時には相手側からのモデムホールド要求を否定して通信を続行し、モデムオンホールドの有効が選択されている時には相手側のモデムオンホールドに応答して回線ホールドモードへの移行を行う。より具体的には、モデムオンホールドを有効とするか否かを選択する手段を有し、モデムオンホールドの無効が選択されている時には相手側からのＲＴ信号に続いたＭＨｒｅｑ信号を受信するとＭＨｎａｃｋ信号を送信し、モデムオンホールドの有効が選択されている時には相手側からのＲＴ信号に続いたＭＨｒｅｑ信号を受信するとＭＨａｃｋ信号を送信し回線ホールドモードへの移行を行う。ここで、モデムオンホールドの要求を有効にするか否かは操作部上での選択結果に基ずく。
【００２４】
以上の制御プログラムが格納されている。
【００２５】
図２、図３、図４には、図１の制御の流れ図が図示されている。
【００２６】
図２において、Ｓ０は、始めを表している。
【００２７】
Ｓ２は、バス２６を介して、メモリ１８をイニシャライズする事を表している。
【００２８】
Ｓ４は、バス２６を介して、操作部の表示部をクリアする事を表している。
【００２９】
Ｓ６では、バス２６を介してＮＣＵ２のＣＭＬをオフする。
【００３０】
Ｓ８では、バス２６を介して操作部の情報を入力し、データモデムでの通信が選択されたか否かが判断され、ＹＥＳであるとＳ１４に進み、ＮＯであると、Ｓ１０に進む。
【００３１】
Ｓ１０では、受信が選択されたか否かが判断され、ＹＥＳであるとＳ４４に進み、ＮＯであると、Ｓ１２に進み、その他の処理を実行する。
【００３２】
Ｓ１４では、バス２６を介して、ＮＣＵ２のＣＭＬをオンする。
【００３３】
Ｓ１６は、バス２６を介して、発呼回路を使用してサービスプロバイダへ発呼する事を表している。
【００３４】
Ｓ１８は、データモデムでの通信をスタートする事を表している。
【００３５】
Ｓ２０では、相手側は、Ｖ．９２をサポートしているか否かが判断され、ＹＥＳであるとＳ２２に進み、ＮＯであると、Ｓ４０に進む。
【００３６】
Ｓ２２は、ＩＴＵ−Ｔ勧告Ｖ．９２に基ずいたデータ通信の実行を表している。
【００３７】
Ｓ２４では、通信が終了したか否かが判断され、ＹＥＳであるとＳ６に進み、ＮＯであると、Ｓ２６に進む。
【００３８】
Ｓ２６では、ＲＴ信号、ＭＨｒｅｑ信号を受信したか否かが判断され、ＹＥＳであるとＳ２８に進み、ＮＯであると、Ｓ２４に進む。
【００３９】
Ｓ２８では、バス２６を介して操作部の情報を入力し、操作部上でモデムオンホールド要求に対しての肯定応答が選択されているか否かが判断され、ＹＥＳであるとＳ３２に進み、ＮＯであると、Ｓ３０に進む。
【００４０】
Ｓ３０は、ＭＨｎａｃｋ信号の送信を表している。
【００４１】
Ｓ３２は、ＭＨａｃｋ信号の送信を表している。
【００４２】
Ｓ３４は、回線をホールド状態とする事を表している。
【００４３】
Ｓ３６は、ボイスモードの実行を表している。
【００４４】
Ｓ３８では、モデムオンホールドモードの解除が実行されたか否かが判断され、ＹＥＳであるとＳ２２に進み、ＮＯであるとＳ３６に進む。
【００４５】
Ｓ４０は、ＩＴＵ−Ｔ勧告Ｖ．９０以下に基ずいたデータ通信の実行を表している。
【００４６】
Ｓ４２では、通信が終了したか否かが判断され、ＹＥＳであるとＳ６に進み、ＮＯであると、Ｓ４０に進む。
【００４７】
Ｓ４４では、バス２６を介して、ＮＣＵ２のＣＭＬをオンする。
【００４８】
Ｓ４６は、前手順を表している。
【００４９】
Ｓ４８は、画信号の受信、記録を表している。
【００５０】
Ｓ５０は後手順を表している。
【００５１】
（実施例２）
実施例１においては、モデムオンホールドの要求を有効にするか否かは操作部上での選択結果に基ずくものとした。しかしながら、メモリ回路１８に、データモデムでの通信時に、モデムオンホールドの要求に対して肯定応答するか否かを登録し、操作部での選択でなく、メモリ１８に記憶されている情報に基ずいてもよい。メモリ１８への登録は図８に図示されている。
【００５２】
図５には、実施例１（図２、図３、図４の制御の流れ図）に対して異なる部分の制御の流れ図が図示されている。
【００５３】
図５において、Ｓ６０はＳ１２を表している。
【００５４】
Ｓ６２では、バス２６を介して操作部の情報を入力し、モデムオンホールド要求に対する動作の登録が選択されたか否かが判断され、ＹＥＳであるとＳ６４に進み、ＮＯであると、Ｓ６６（Ｓ６）に進む。
【００５５】
Ｓ６４は、バス２６を介してメモリ１８にモデムオンホールドの要求に対して肯定応答するか否かの情報を登録する事を表している。
【００５６】
Ｓ６６はＳ２６のＹＥＳを表している。
【００５７】
Ｓ６８では、バス２６を介してメモリ１８にモデムオンホールド要求に対して肯定応答すると記憶されているか否かが判断され、ＹＥＳであるとＳ７４（Ｓ３２）に進み、ＮＯであると、Ｓ７２（Ｓ３０）に進む。
【００５８】
（実施例３）
実施例１において、モデムオンホールドの無効が選択されている時には、ＩＴＵ−Ｔ勧告Ｖ．９２の通信を実行せずにＩＴＵ−Ｔ勧告Ｖ．９０の通信を実行してもよい。
【００５９】
図６には、実施例１（図２、図３、図４の制御の流れ図）に対して異なる部分の制御の流れ図が図示されている。
【００６０】
図６において、Ｓ８０はＳ１２を表している。
【００６１】
Ｓ８２では、バス２６を介して操作部の情報を入力し、操作部上でモデムオンホールド要求に対しての肯定応答が選択されているか否かが判断され、ＹＥＳであるとＳ８６（Ｓ２０）に進み、ＮＯであると、Ｓ８４（Ｓ４０）に進む。
【００６２】
Ｓ８８はＳ２６のＹＥＳ、Ｓ９０はＳ３２を表している。
【００６３】
（実施例４）
実施例２において、モデムオンホールドの無効が選択されている時には、ＩＴＵ−Ｔ勧告Ｖ．９２の通信を実行せずにＩＴＵ−Ｔ勧告Ｖ．９０の通信を実行してもよい。
【００６４】
図７には、実施例１（図２、図３、図４の制御の流れ図）に対して異なる部分の制御の流れ図が図示されている。
【００６５】
図７において、Ｓ１００はＳ１２を表している。
【００６６】
Ｓ１０２では、バス２６を介して操作部の情報を入力し、モデムオンホールド要求に対する動作の登録が選択されたか否かが判断され、ＹＥＳであるとＳ１０４に進み、ＮＯであると、Ｓ１０６（Ｓ６）に進む。
【００６７】
Ｓ１０４は、バス２６を介してメモリ１８にモデムオンホールドの要求に対して肯定応答するか否かの情報を登録する事を表している。
【００６８】
Ｓ１０８はＳ１８を表している。
【００６９】
Ｓ１１０では、バス２６を介してメモリ１８にモデムオンホールド要求に対して肯定応答すると記憶されているか否かが判断され、ＹＥＳであるとＳ１１４（Ｓ２０）に進み、ＮＯであると、Ｓ１１２（Ｓ４０）に進む。
【００７０】
Ｓ１１６はＳ２６のＹＥＳ、Ｓ１１８はＳ３２を表している。
【００７１】
【発明の効果】
第１、２の本発明によれば、ＩＴＵ−Ｔ勧告Ｖ．９２にて通信を実行中に、相手側からモデムホールド要求があると、ユーザがある通信を早く実行したいと考えている時に、モデムホールド要求により回線ホールド状態で通信が待たされる事はなく通信を終了でき、一方、特にユーザが早く実行したいと考えていない時には、モデムホールド要求により、回線をホールドして、例えば、ボイスモードを実行しボイスモードが終了後、再び、データの送信を開始でき、確実にボイスモードの実行ができとても使い易くなった。
【００７２】
第３の本発明によれば、ＩＴＵ−Ｔ勧告Ｖ．９２にて通信を実行中に、相手側からモデムホールド要求があると、ユーザがある通信を早く実行したいと考えている時に、最初からＩＴＵ−Ｔ勧告Ｖ．９０にて通信が可能になり、モデムホールド要求がかかる事が無くなり、確実に通信中断のない通信が可能になりとても使い易くなった。
【図面の簡単な説明】
【図１】本発明によるファクシミリ装置の実施例のブロック図。
【図２】本発明による制御の流れ図。
【図３】本発明による制御の流れ図。
【図４】本発明による制御の流れ図。
【図５】本発明による制御の流れ図。
【図６】本発明による制御の流れ図。
【図７】本発明による制御の流れ図。
【図８】メモリ１８の具体例。
【符号の説明】
２　ＮＣＵ
４　電話機
６　ハイブリッド回路
８　変復調器
１０　発呼回路
１２　加算回路
１４　読み取り回路
１６　記録回路
１８　メモリ回路
２０　操作部
２２　ＣＰＵ
２４　ＲＯＭ
２６　バス
【図１】
2004135153.tif 000003
【図２】
2004135153.tif 000004
【図３】
2004135153.tif 000005
【図４】
2004135153.tif 000006
【図５】
2004135153.tif 000007
【図６】
2004135153.tif 000008
【図７】
2004135153.tif 000009
【図８】
2004135153.tif 000010